【手続補正書】
【提出日】平成28年4月13日(2016.4.13)
【手続補正１】
【補正対象書類名】特許請求の範囲
【補正対象項目名】全文
【補正方法】変更
【補正の内容】
【特許請求の範囲】
【請求項１】
表示装置と接続可能な撮像装置であって、
撮像によって撮像データを生成する撮像手段と、
前記撮像データを表示用の第１画像データに変換する第１変換手段と、
前記撮像データを保存用の第２画像データに変換する第２変換手段と、
前記撮像装置に接続された前記表示装置に前記第１画像データを出力しながら、前記第２画像データを記憶部に記録する記録処理と、前記記憶部に記録された前記第２画像データを表示用の第３画像データに変換して前記表示装置に出力する再生処理とを行う処理手段と、
を有し、
前記第１画像データと、前記第２画像データとは、フォーマットが互いに異なり、
前記処理手段は、前記再生処理として、前記表示装置に表示したときの色再現が前記第１画像データに近づくように、前記第２画像データを前記第３画像データに変換し、当該第３画像データを前記表示装置に出力する処理を行う
ことを特徴とする撮像装置。
【請求項２】
前記第１画像データと、前記第２画像データとは、色再現範囲、色空間、及び、階調特性の少なくともいずれかが互いに異なる
ことを特徴とする請求項１に記載の撮像装置。
【請求項３】
前記第２画像データの画素値と、前記第３画像データの画素値との対応関係に関する情報を取得する取得手段をさらに有し、
前記処理手段は、前記取得手段で取得された前記情報を用いて、前記第２画像データを前記第３画像データに変換する
ことを特徴とする請求項１または２に記載の撮像装置。
【請求項４】
前記取得手段は、前記対応関係に関する情報を前記表示装置から取得する
ことを特徴とする請求項３に記載の撮像装置。
【請求項５】
前記処理手段は、
前記記録処理において、前記第２画像データを前記記憶部に記録する記録手段と、
前記記録処理において、前記第１画像データを前記表示装置に出力し、前記再生処理において、前記第２画像データを前記第３画像データに変換し、当該第３画像データを前記表示装置に出力する出力手段と、
を有する
ことを特徴とする請求項１〜４のいずれか１項に記載の撮像装置。
【請求項６】
前記出力手段は、
前記第２画像データを前記第３画像データに変換する画像変換手段と、
前記第３画像データを前記表示装置に出力する画像出力手段と、
を有する
ことを特徴とする請求項５に記載の撮像装置。
【請求項７】
前記記録処理を行うか、前記再生処理を行うかを判断する判断手段をさらに有し、
前記処理手段は、前記判断手段の判断結果に応じた処理を行う
ことを特徴とする請求項１〜６のいずれか１項に記載の撮像装置。
【請求項８】
前記第１画像データは、ｓＲＧＢの画像データであり、
前記第２画像データは、ＡＣＥＳの画像データであり、
前記処理手段は、ＲＲＴ処理、ＯＤＴ処理、または、それらの両方を前記第２画像データに施すことにより、前記第２画像データを、前記第３画像データであるｓＲＧＢの画像データに変換する
ことを特徴とする請求項１〜７のいずれか１項に記載の撮像装置。
【請求項９】
表示装置と接続可能な撮像装置の制御方法であって、
撮像によって撮像データを生成する撮像ステップと、
前記撮像データを表示用の第１画像データに変換する第１変換ステップと、
前記撮像データを保存用の第２画像データに変換する第２変換ステップと、
前記撮像装置に接続された前記表示装置に前記第１画像データを出力しながら、前記第２画像データを記憶部に記録する記録処理と、前記記憶部に記録された前記第２画像データを表示用の第３画像データに変換して前記表示装置に出力する再生処理とを行う処理ステップと、
を有し、
前記第１画像データと、前記第２画像データとは、フォーマットが互いに異なり、
前記処理ステップでは、前記再生処理として、前記表示装置に表示したときの色再現が前記第１画像データに近づくように、前記第２画像データを前記第３画像データに変換し、当該第３画像データを前記表示装置に出力する処理を行う
ことを特徴とする撮像装置の制御方法。
【請求項１０】
前記第１画像データと、前記第２画像データとは、色再現範囲、色空間、及び、階調特性の少なくともいずれかが互いに異なる
ことを特徴とする請求項９に記載の撮像装置の制御方法。
【請求項１１】
前記第２画像データの画素値と、前記第３画像データの画素値との対応関係に関する情報を取得する取得ステップをさらに有し、
前記処理ステップでは、前記取得ステップで取得された前記情報を用いて、前記第２画像データを前記第３画像データに変換する
ことを特徴とする請求項９または１０に記載の撮像装置の制御方法。
【請求項１２】
前記取得ステップでは、前記対応関係に関する情報を前記表示装置から取得する
ことを特徴とする請求項１１に記載の撮像装置の制御方法。
【請求項１３】
前記処理ステップは、
前記記録処理において、前記第２画像データを前記記憶部に記録する記録ステップと、
前記記録処理において、前記第１画像データを前記表示装置に出力し、前記再生処理において、前記第２画像データを前記第３画像データに変換し、当該第３画像データを前記表示装置に出力する出力ステップと、
を有する
ことを特徴とする請求項９〜１２のいずれか１項に記載の撮像装置の制御方法。
【請求項１４】
前記出力ステップは、
前記第２画像データを前記第３画像データに変換する画像変換ステップと、
前記第３画像データを前記表示装置に出力する画像出力ステップと、
を有する
ことを特徴とする請求項１３に記載の撮像装置の制御方法。
【請求項１５】
前記記録処理を行うか、前記再生処理を行うかを判断する判断ステップをさらに有し、
前記処理ステップでは、前記判断ステップの判断結果に応じた処理を行う
ことを特徴とする請求項９〜１４のいずれか１項に記載の撮像装置の制御方法。
【請求項１６】
前記第１画像データは、ｓＲＧＢの画像データであり、
前記第２画像データは、ＡＣＥＳの画像データであり、
前記処理ステップでは、ＲＲＴ処理、ＯＤＴ処理、または、それらの両方を前記第２画像データに施すことにより、前記第２画像データを、前記第３画像データであるｓＲＧＢの画像データに変換する
ことを特徴とする請求項９〜１５のいずれか１項に記載の撮像装置の制御方法。
【手続補正２】
【補正対象書類名】明細書
【補正対象項目名】００１１
【補正方法】変更
【補正の内容】
【００１１】
本発明の撮像装置は、
表示装置と接続可能な撮像装置であって、
撮像によって撮像データを生成する撮像手段と、
前記撮像データを表示用の第１画像データに変換する第１変換手段と、
前記撮像データを保存用の第２画像データに変換する第２変換手段と、
前記撮像装置に接続された前記表示装置に前記第１画像データを出力しながら、前記第２画像データを記憶部に記録する記録処理と、前記記憶部に記録された前記第２画像データを表示用の第３画像データに変換して前記表示装置に出力する再生処理とを行う処理手段と、
を有し、
前記第１画像データと、前記第２画像データとは、フォーマットが互いに異なり、
前記処理手段は、前記再生処理として、前記表示装置に表示したときの色再現が前記第１画像データに近づくように、前記第２画像データを前記第３画像データに変換し、当該第３画像データを前記表示装置に出力する処理を行う
ことを特徴とする。
【手続補正３】
【補正対象書類名】明細書
【補正対象項目名】００１２
【補正方法】変更
【補正の内容】
【００１２】
本発明の撮像装置の制御方法は、
表示装置と接続可能な撮像装置の制御方法であって、
撮像によって撮像データを生成する撮像ステップと、
前記撮像データを表示用の第１画像データに変換する第１変換ステップと、
前記撮像データを保存用の第２画像データに変換する第２変換ステップと、
前記撮像装置に接続された前記表示装置に前記第１画像データを出力しながら、前記第２画像データを記憶部に記録する記録処理と、前記記憶部に記録された前記第２画像データを表示用の第３画像データに変換して前記表示装置に出力する再生処理とを行う処理ステップと、
を有し、
前記第１画像データと、前記第２画像データとは、フォーマットが互いに異なり、
前記処理ステップでは、前記再生処理として、前記表示装置に表示したときの色再現が前記第１画像データに近づくように、前記第２画像データを前記第３画像データに変換し、当該第３画像データを前記表示装置に出力する処理を行う
ことを特徴とする。
【手続補正４】
【補正対象書類名】明細書
【補正対象項目名】００４７
【補正方法】変更
【補正の内容】
【００４７】
なお、保存用の画像データの画素値と、表示用の画像データの画素値との対応関係に関する情報は、テーブルに限らない。例えば、上記対応関係に関する情報は、保存用の画像データの画素値と、表示用の画像データの画素値との対応関係を表す関数であってもよい。